(57)【要約】【課題】各々異なるデータ転送処理を行う複数のスイッチを切り替え、効率的なデータ転送を行うことが可能なデータ転送装置を提供する。【解決手段】各々異なるデータ転送処理を行う複数のスイッチ（１００−１〜ｎ：ｎは、任意の整数）を有し、そのスイッチ（１００−１〜ｎ）を用いてデータ転送を行うデータ転送装置（１）であり、データ転送装置（１）は、物理回線を収容するインタフェース（２００−１〜ｎ）と接続している。そして、データ転送装置（１）は、インタフェース（２００−１〜ｎ）の物理回線種別に応じて、データ転送に使用するスイッチ（１００−１〜ｎ）を切り替える。【選択図】図１
2008306478.tif 000002
【特許請求の範囲】
【請求項１】
各々異なるデータ転送処理を行う複数のスイッチを有し、前記スイッチを用いてデータ転送を行うデータ転送装置であって、
前記データ転送装置は、物理回線を収容するインタフェースと接続しており、
前記インタフェースの物理回線種別に応じて、データ転送に使用するスイッチを切り替える切替手段を有することを特徴とするデータ転送装置。
【請求項２】
各々異なるデータ転送処理を行う複数のスイッチを有し、前記スイッチを用いてデータ転送を行うデータ転送装置であって、
前記データ転送装置は、物理回線を収容するインタフェースと接続しており、
データ転送に使用するスイッチを前記物理回線単位に切り替える切替手段を有することを特徴とするデータ転送装置。
【請求項３】
前記インタフェースの物理回線種別を取得し、該取得した物理回線種別を特定する制御手段を有し、
前記切替手段は、
前記制御手段により特定した物理回線種別に応じて、前記スイッチを切り替えることを特徴とする請求項１または２記載のデータ転送装置。
【請求項４】
前記切替手段は、
前記インタフェースから入力されたデータを、そのまま前記スイッチに転送し、前記スイッチから転送されたデータを、そのまま前記インタフェースに出力することを特徴とする請求項１から３の何れか１項に記載のデータ転送装置。
【請求項５】
前記スイッチは、
パケットデータの転送処理を行うパケットスイッチと、
ＴＤＭデータの転送処理を行うＴＤＭスイッチと、
ＡＴＭデータの転送処理を行うＡＴＭスイッチと、の少なくとも２つのスイッチであることを特徴とする請求項１から４の何れか１項に記載のデータ転送装置。
【請求項６】
前記切替手段は、
前記物理回線種別がＥｔｈｅｒ回線である場合には、データ転送に使用するスイッチをパケットスイッチに切り替え、
前記物理回線種別がＴＤＭ回線である場合には、データ転送に使用するスイッチをＴＤＭスイッチに切り替え、
前記物理回線種別がＡＴＭ回線である場合には、データ転送に使用するスイッチをＡＴＭスイッチに切り替えることを特徴とする請求項５記載のデータ転送装置。
【請求項７】
前記インタフェースは、カード型のインタフェースであることを特徴とする請求項１から６の何れか１項に記載のデータ転送装置。
【請求項８】
各々異なるデータ転送処理を行う複数のスイッチを有し、前記スイッチを用いてデータ転送を行うデータ転送装置で行うデータ転送方法であって、
前記データ転送装置は、物理回線を収容するインタフェースと接続しており、
前記インタフェースの物理回線種別に応じて、データ転送に使用するスイッチを切り替える切替工程を、前記データ転送装置が行うことを特徴とするデータ転送方法。
【請求項９】
各々異なるデータ転送処理を行う複数のスイッチを有し、前記スイッチを用いてデータ転送を行うデータ転送装置で行うデータ転送方法であって、
前記データ転送装置は、物理回線を収容するインタフェースと接続しており、
データ転送に使用するスイッチを前記物理回線単位に切り替える切替工程を、前記データ転送装置が行うことを特徴とするデータ転送方法。
【請求項１０】
各々異なるデータ転送処理を行う複数のスイッチを有し、前記スイッチを用いてデータ転送を行うデータ転送装置に実行させるデータ転送プログラムであって、
前記データ転送装置は、物理回線を収容するインタフェースと接続しており、
前記インタフェースの物理回線種別に応じて、データ転送に使用するスイッチを切り替える切替処理を、前記データ転送装置に実行させることを特徴とするデータ転送プログラム。
【請求項１１】
各々異なるデータ転送処理を行う複数のスイッチを有し、前記スイッチを用いてデータ転送を行うデータ転送装置に実行させるデータ転送プログラムであって、
前記データ転送装置は、物理回線を収容するインタフェースと接続しており、
データ転送に使用するスイッチを前記物理回線単位に切り替える切替処理を、前記データ転送装置に実行させることを特徴とするデータ転送プログラム。
【発明の詳細な説明】
【技術分野】
【０００１】
本発明は、データ転送装置、データ転送方法及びデータ転送プログラムに関し、特に、各々異なるデータ転送処理を行う複数のスイッチを有し、その複数のスイッチを用いてデータ転送を行うことが可能なデータ転送装置、データ転送方法及びデータ転送プログラムに関するものである。
【背景技術】
【０００２】
近年、２Ｇ、３Ｇなどの無線基地局であるＢＴＳ（Base Transceiver Station）と、基地局制御装置であるＢＳＣ（Base Station Controller）／ＲＮＣ（Radio Network Controller）と、を結ぶアクセスネットワーク、所謂、モバイルバックホールにおいて、ネットワーク設備・運用の効率化を目的としたAll-IP化の動きがある。このため、既存のネットワークを保存しながらＩＰ化へマイグレーションするためのソリューションが要求されている。
【０００３】
一方で、マイグレーションの過渡期においては、ＴＤＭ（Time Division Multiple）データと、パケットデータと、の両方のデータ転送処理が必要であり、設備効率化の観点から、両方のデータを効率的に収容、かつ、交換することが可能可能なデータ転送装置が必要となる。
【０００４】
このため、各々異なるデータ転送処理を行う複数のスイッチを切り替え、効率的なデータ転送を行うことが可能な制御方法の開発が必要視されることになる。
【０００５】
なお、一般的なデータ転送装置は、ＴＤＭデータ、パケットデータ、をどちらかのデータに変換し、データ転送を行っている。
【０００６】
しかしながら、例えば、ＴＤＭデータをパケット化し、パケットデータに変換し、パケットスイッチを用いてデータ転送を行う方式の場合には、ＴＤＭデータをパケット化する際に、遅延や揺らぎが発生することになる。
【０００７】
このため、パケットデータを受信する受信側の装置にパケットバッファを搭載し、上述した遅延や揺らぎを補正する必要がある。
【０００８】
また、ＴＤＭデータをパケット化する際のオーバーヘッドも大きく、非効率的な方式となる。さらに、非同期なパケットになってしまうため、同期クロック送信にも問題が生じることになる。
【０００９】
また、パケットデータをＴＤＭデータに変換し、ＴＤＭスイッチを用いてデータ転送を行う方式の場合には、データ転送を行わない状態でも、ＴＤＭの帯域を消費してしまうことになる。
【００１０】
なお、本発明より先に出願された技術文献として、接続回線の種別を判定し、その接続回線に対応したインタフェースに自動的に接続する回線インタフェース装置について開示された文献がある（例えば、特許文献１参照）。
【００１１】
また、１つのネットワークをパケットベースの通信と、ＴＤＭベースの通信と、に兼用することが可能なノード装置について開示された文献がある（例えば、特許文献２参照）。
【特許文献１】特開平１１−６９３９１号公報
【特許文献２】特開２００３−２５９４７１号公報
【発明の開示】
【発明が解決しようとする課題】
【００１２】
なお、上記特許文献１は、接続回線から得られる信号を基に、接続回線の種別を判定し、接続回線に対応したインタフェースに自動的に接続するように制御するものである。
【００１３】
このため、上記特許文献１には、物理回線を収容するインタフェースと接続し、データ転送に使用するスイッチを、インタフェースの物理回線種別に応じて切り替えることについては何ら記載もその必要性についても示唆されていない。
【００１４】
また、上記特許文献１には、物理回線を収容するインタフェースと接続し、データ転送に使用するスイッチを、その物理回線単位に切り替えることについても何ら記載もその必要性についても示唆されていない。
【００１５】
また、上記特許文献２は、パケットベースの通信と、ＴＤＭベースの通信と、に兼用するための機構をインタフェース回路に搭載している。このため、上記特許文献２の技術では、インタフェース回路内の構成が複雑になってしまうことになる。
【００１６】
また、上記特許文献２は、パケットベースの通信と、ＴＤＭベースの通信と、の切り替え制御を、オペレータの指令、または、トラフィック状態情報の分析結果に応じて行うように構成している。
【００１７】
このため、上記特許文献２には、物理回線を収容するインタフェースと接続し、データ転送に使用するスイッチを、インタフェースの物理回線種別に応じて切り替えることについては何ら記載もその必要性についても示唆されていない。
【００１８】
また、上記特許文献２には、物理回線を収容するインタフェースと接続し、データ転送に使用するスイッチを、その物理回線単位に切り替えることについては何ら記載もその必要性についても示唆されていない。
【００１９】
本発明は、上記事情に鑑みてなされたものであり、上述した課題である、各々異なるデータ転送処理を行う複数のスイッチを切り替え、効率的なデータ転送を行うことが可能なデータ転送装置、データ転送方法及びデータ転送プログラムを提供することを目的とするものである。
【課題を解決するための手段】
【００２０】
かかる目的を達成するために、本発明は、以下の特徴を有することとする。
【００２１】
本発明にかかるデータ転送装置は、
各々異なるデータ転送処理を行う複数のスイッチを有し、前記スイッチを用いてデータ転送を行うデータ転送装置であって、
前記データ転送装置は、物理回線を収容するインタフェースと接続しており、
前記インタフェースの物理回線種別に応じて、データ転送に使用するスイッチを切り替える切替手段を有することを特徴とする。
【００２２】
また、本発明にかかるデータ転送装置は、
各々異なるデータ転送処理を行う複数のスイッチを有し、前記スイッチを用いてデータ転送を行うデータ転送装置であって、
前記データ転送装置は、物理回線を収容するインタフェースと接続しており、
データ転送に使用するスイッチを前記物理回線単位に切り替える切替手段を有することを特徴とする。
【００２３】
＜データ転送方法＞
また、本発明にかかるデータ転送方法は、
各々異なるデータ転送処理を行う複数のスイッチを有し、前記スイッチを用いてデータ転送を行うデータ転送装置で行うデータ転送方法であって、
前記データ転送装置は、物理回線を収容するインタフェースと接続しており、
前記インタフェースの物理回線種別に応じて、データ転送に使用するスイッチを切り替える切替工程を、前記データ転送装置が行うことを特徴とする。
【００２４】
また、本発明にかかるデータ転送方法は、
各々異なるデータ転送処理を行う複数のスイッチを有し、前記スイッチを用いてデータ転送を行うデータ転送装置で行うデータ転送方法であって、
前記データ転送装置は、物理回線を収容するインタフェースと接続しており、
データ転送に使用するスイッチを前記物理回線単位に切り替える切替工程を、前記データ転送装置が行うことを特徴とする。
【００２５】
＜データ転送プログラム＞
また、本発明にかかるデータ転送プログラムは、
各々異なるデータ転送処理を行う複数のスイッチを有し、前記スイッチを用いてデータ転送を行うデータ転送装置に実行させるデータ転送プログラムであって、
前記データ転送装置は、物理回線を収容するインタフェースと接続しており、
前記インタフェースの物理回線種別に応じて、データ転送に使用するスイッチを切り替える切替処理を、前記データ転送装置に実行させることを特徴とする。
【００２６】
また、本発明にかかるデータ転送プログラムは、
各々異なるデータ転送処理を行う複数のスイッチを有し、前記スイッチを用いてデータ転送を行うデータ転送装置に実行させるデータ転送プログラムであって、
前記データ転送装置は、物理回線を収容するインタフェースと接続しており、
データ転送に使用するスイッチを前記物理回線単位に切り替える切替処理を、前記データ転送装置に実行させることを特徴とする。
【発明の効果】
【００２７】
本発明によれば、各々異なるデータ転送処理を行う複数のスイッチを切り替え、データ転送を行うことが可能となる。
【発明を実施するための最良の形態】
【００２８】
まず、図１を参照しながら、本実施例のデータ転送装置（１）の概要について説明する。
【００２９】
本実施例におけるデータ転送装置（１）は、各々異なるデータ転送処理を行う複数のスイッチ（１００−１〜ｎ：ｎは、任意の整数）を有し、そのスイッチ（１００−１〜ｎ）を用いてデータ転送を行うデータ転送装置である。なお、データ転送装置（１）は、物理回線を収容するインタフェース（２００−１〜ｎ：ｎは、任意の整数）と接続している。
【００３０】
そして、本実施例におけるデータ転送装置（１）は、インタフェース（２００−１〜ｎ）の物理回線種別に応じて、データ転送に使用するスイッチ（１００−１〜ｎ）を切り替えることを特徴とする。
【００３１】
また、本実施例におけるデータ転送装置（１）は、データ転送に使用するスイッチ（１００−１〜ｎ）を、インタフェース（２００−１〜ｎ）の物理回線単位に切り替えることを特徴とする。
【００３２】
詳細には、制御部（３００）が、インタフェース（２００−１〜ｎ）の物理回線種別を取得し、該取得した物理回線種別を特定する。そして、切替部（４００）は、制御部（３００）により特定した物理回線種別に応じて、スイッチ（１００−１〜ｎ）を切り替えることになる。
【００３３】
これにより、本実施例におけるデータ転送装置（１）は、各々異なるデータ転送処理を行う複数のスイッチ（２、３）を切り替え、データ転送を行うことが可能となる。以下、添付図面を参照しながら、本実施例のデータ転送装置（１）について詳細に説明する。
【００３４】
＜データ転送装置：１の構成＞
まず、図２を参照しながら、本実施例におけるデータ転送装置（１）の構成について説明する。
【００３５】
本実施例におけるデータ転送装置（１）は、インタフェース回路（５−１〜ｎ：ｎは、任意の整数）から入力されたデータの転送を行うものである。
【００３６】
なお、データ転送装置（１）は、図２に示すように、インタフェース回路（５−１〜ｎ）と、ＣＰＵ（６）と、接続している。
【００３７】
また、データ転送装置（１）は、パケットスイッチ（２）と、ＴＤＭスイッチ（３）と、パケット／ＴＤＭセレクタ回路（４）と、を有して構成している。
【００３８】
パケットスイッチ（２）は、パケットデータの転送処理を行うものである。なお、本実施例のパケットスイッチ（２）は、パケット／ＴＤＭセレクタ回路（４）と接続している。
【００３９】
ＴＤＭスイッチ（３）は、ＴＤＭデータの転送処理を行うものである。なお、本実施例のＴＤＭスイッチ（３）は、パケット／ＴＤＭセレクタ回路（４）と接続している。
【００４０】
パケット／ＴＤＭセレクタ回路（４）は、ＣＰＵ（６）からの設定内容に従い、パケットスイッチ（２）と、ＴＤＭスイッチ（３）と、のスイッチを切り替えるものである。
【００４１】
そして、パケット／ＴＤＭセレクタ回路（４）は、インタフェース回路（５−１〜ｎ）から入力されるパケットデータをそのままパケットスイッチ（２）に転送したり、インタフェース回路（５−１〜ｎ）から入力されるＴＤＭデータをそのままＴＤＭスイッチ（３）に転送したりすることになる。
【００４２】
また、パケット／ＴＤＭセレクタ回路（４）は、パケットスイッチ（２）から転送されてきたパケットデータをそのままインタフェース回路（５−１〜ｎ）に転送したり、ＴＤＭスイッチ（３）から転送されてきたＴＤＭデータをそのままインタフェース回路（５−１〜ｎ）に転送したりすることになる。
【００４３】
なお、本実施例のパケット／ＴＤＭセレクタ回路（４）は、パケットスイッチ（２）、ＴＤＭスイッチ（３）、インタフェース回路（５−１〜ｎ）、ＣＰＵ（６）と接続している。
【００４４】
インタフェース回路（５−１〜ｎ）は、物理回線単位のインタフェース回路である。なお、本実施例のインタフェース回路（５−１〜ｎ）は、回路内に、物理回線種別情報を格納している。物理回線種別情報とは、インタフェース回路の物理回線種別を特定するための情報であり、例えば、Ether回線や、ＴＤＭ回線が挙げられる。
【００４５】
なお、本実施例のインタフェース回路（５−１〜ｎ）は、パケット／ＴＤＭセレクタ回路（４）、ＣＰＵ（６）と接続している。
【００４６】
ＣＰＵ（６）は、インタフェース回路（５−１〜ｎ）から物理回線種別情報を読み込み、その物理回線種別情報を基に、インタフェース回路（５−１〜ｎ）の物理回線種別を特定する。そして、ＣＰＵ（６）は、その物理回線種別に応じて、パケット／ＴＤＭセレクタ回路（４）のセレクタ回路の切り替えを行うことになる。
【００４７】
例えば、ＣＰＵ（６）は、インタフェース回路（５−１〜ｎ）から読み込んだ物理回線種別情報が、Ether回線である場合には、パケット／ＴＤＭセレクタ回路（４）がパケットスイッチ（２）と接続するように、パケット／ＴＤＭセレクタ回路（４）に選択設定を行う。
【００４８】
また、ＣＰＵ（６）は、インタフェース回路（５−１〜ｎ）から読み込んだ物理回線種別情報が、ＴＤＭ回線である場合には、パケット／ＴＤＭセレクタ回路（４）がＴＤＭスイッチ（３）と接続するように、パケット／ＴＤＭセレクタ回路（４）に選択設定を行う。
【００４９】
なお、上記したＣＰＵ（６）の処理は、組込みソフトウェアによって実現することも可能である。なお、本実施例のＣＰＵ（６）は、パケット／ＴＤＭセレクタ回路（４）、インタフェース回路（５−１〜ｎ）と接続している。
【００５０】
＜処理動作＞
次に、図３を参照しながら、本実施例におけるデータ転送装置（１）の処理動作について説明する。
【００５１】
まず、ＣＰＵ（６）は、インタフェース回路（５−１〜ｎ）の物理回線種別情報を取得し（ステップＳ１）、その取得した物理回線種別情報を基に、インタフェース回路（５−１〜ｎ）の回線種別判別を行う（ステップＳ２）。
【００５２】
ＣＰＵ（６）は、物理回線種別情報が、Ether回線であると判別した場合には、ＣＰＵ（６）は、パケット／ＴＤＭセレクタ回路（４）がパケットスイッチ（２）と接続するように、パケット／ＴＤＭセレクタ回路（４）に選択設定を行う（ステップＳ３）。
【００５３】
これにより、パケット／ＴＤＭセレクタ回路（４）は、インタフェース回路（５−１〜ｎ）から入力されたデータがパケットデータの場合には、パケットデータのままパケットスイッチ（２）に転送することになる（ステップＳ５）。
【００５４】
また、ＣＰＵ（６）は、物理回線種別情報が、ＴＤＭ回線であると判別した場合には、ＣＰＵ（６）は、パケット／ＴＤＭセレクタ回路（４）がＴＤＭスイッチ（３）と接続するように、パケット／ＴＤＭセレクタ回路（４）に選択設定を行う（ステップＳ４）。
【００５５】
これにより、パケット／ＴＤＭセレクタ回路（４）は、インタフェース回路（５−１〜ｎ）から入力されたデータがＴＤＭデータの場合には、ＴＤＭデータのままＴＤＭスイッチ（３）に転送することになる（ステップＳ６）。
【００５６】
なお、上述した図３に示す処理は、物理回線単位に行うことになる。
【００５７】
このように、本実施例におけるデータ転送装置（１）は、パケットスイッチ（２）と、ＴＤＭスイッチ（３）と、の各々異なるデータ転送処理を行う複数のスイッチ（２、３）を有して構成する。また、データ転送装置（１）は、物理回線を収容するインタフェース回路（５−１〜ｎ）と接続して構成する。
【００５８】
そして、本実施例におけるデータ転送装置（１）は、インタフェース回路（５−１〜ｎ）の物理回線種別に応じて、データ転送に使用するスイッチ（２、３）を切り替え、インタフェース回路（５−１〜ｎ）から入力されたデータを、そのまま、スイッチ（２、または、３）に転送し、そのスイッチ（２、または、３）から転送されたデータを、そのまま、インタフェース回路（５−１〜ｎ）に出力することになる。
【００５９】
なお、本実施例におけるデータ転送装置（１）は、物理回線種別がEther回線である場合には、データ転送に使用するスイッチをパケットスイッチ（２）に切り替え、インタフェース回路（５−１〜ｎ）から入力されたパケットデータを、そのまま、パケットスイッチ（２）に転送し、そのパケットスイッチ（２）から転送されたパケットデータを、そのまま、インタフェース回路（５−１〜ｎ）に出力することになる。
【００６０】
また、本実施例におけるデータ転送装置（１）は、物理回線種別がＴＤＭ回線である場合には、データ転送に使用するスイッチをＴＤＭスイッチ（３）に切り替え、インタフェース回路（５−１〜ｎ）から入力されたＴＤＭデータを、そのまま、ＴＤＭスイッチ（３）に転送し、そのＴＤＭスイッチ（３）から転送されたＴＤＭデータを、そのまま、インタフェース回路（５−１〜ｎ）に出力することになる。
【００６１】
このため、本実施例におけるデータ転送装置（１）は、帯域共有が可能なパケットスイッチ（２）と、少ない遅延と帯域保証を行うことが可能なＴＤＭスイッチ（３）と、を搭載し、この２つの混在処理を実現することが可能となるため、ＴＤＭデータをパケット化する必要が無くなり、遅延や揺らぎを発生させることがない。その結果、遅延や揺らぎを補正するためのパケットバッファを設ける必要がなく、コストダウンを図ることが可能となる。
【００６２】
また、インタフェース回路（５−１〜ｎ）での処理が、パケットデータの処理、または、ＴＤＭデータの処理のどちらか一方の処理だけを行うことになるため、インタフェース回路（５−１〜ｎ）内の構成を簡素化することが可能となる。
【００６３】
また、本実施例におけるデータ転送装置（１）は、ＴＤＭデータをパケット化する必要が無いため、オーバーヘッドを発生させないようにすることが可能となる。また、同期クロック送信も容易に行うことが可能となる。
【００６４】
また、本実施例におけるデータ転送装置（１）は、パケットデータをＴＤＭ伝送する必要がないため、データ未転送時にＴＤＭ帯域を消費しないようにすることが可能となる。
【００６５】
従って、本実施例におけるデータ転送装置（１）は、パケットトラフィックデータ、及び、ＴＤＭトラフィックデータの効率的なデータ転送を行うことが可能となる。
【００６６】
また、本実施例におけるデータ転送装置（１）は、物理回線単位に、パケット／ＴＤＭセレクタ回路（４）を切り替えることで、パケット／ＴＤＭセレクタ回路（４）の切替処理を簡易的に行うことが可能となる。
【００６７】
また、本実施例におけるデータ転送装置（１）は、インタフェース回路（５−１〜ｎ）の物理回線種別に応じて、データ転送に使用するスイッチ（２、３）を切り替えているため、ハードウェア的に大幅な回路変更を行うことなく、物理回線種別を追加することが可能となる。
【００６８】
（第２の実施例）
次に、第２の実施例について説明する。
【００６９】
第２の実施例におけるデータ転送装置（１）は、インタフェース回路（５−１〜ｎ）の物理回線種別に応じて、パケットスイッチ（２）と、ＴＤＭスイッチ（３）と、ＡＴＭ（Asynchronous Transfer Mode）スイッチ（８）と、を切り替えることを特徴とする。
【００７０】
これにより、本実施例におけるデータ転送装置（１）は、パケットトラフィックデータ、ＴＤＭトラフィックデータ、ＡＴＭトラフィックデータの効率的なデータ転送を行うことが可能となる。以下、図４、図５を参照しながら、第２の実施例のデータ転送装置（１）について説明する。
【００７１】
本実施例のデータ転送装置（１）は、図４に示すように、パケットスイッチ（２）と、ＴＤＭスイッチ（３）と、ＡＴＭスイッチ（８）と、パケット／ＴＤＭ／ＡＴＭセレクタ回路（７）と、を有して構成している。
【００７２】
このように、本実施例のデータ交換装置（１）は、ＡＴＭスイッチ（８）を有して構成している。
【００７３】
なお、ＡＴＭスイッチ（８）は、ＡＴＭデータの転送処理を行うものである。なお、本実施例のＡＴＭスイッチ（８）は、パケット／ＴＤＭ／ＡＴＭセレクタ回路（７）と接続している。
【００７４】
なお、パケット／ＴＤＭ／ＡＴＭセレクタ回路（７）は、ＣＰＵ（６）からの設定内容に従い、パケットスイッチ（２）と、ＴＤＭスイッチ（３）と、ＡＴＭスイッチ（８）と、のスイッチを切り替えるものである。
【００７５】
そして、パケット／ＴＤＭ／ＡＴＭセレクタ回路（７）は、第１の実施例のパケット／ＴＤＭセレクタ回路（４）の機能に加え、インタフェース回路（５−１〜ｎ）から入力されるＡＴＭデータをそのままＡＴＭスイッチ（８）に転送したり、ＡＴＭスイッチ（８）から転送されるＡＴＭデータをそのままインタフェース回路（５−１〜ｎ）に転送したりすることになる。
【００７６】
なお、本実施例のインタフェース回路（５−１〜ｎ）は、回路内に、Ether回線や、ＴＤＭ回線、ＡＴＭ回線等の物理回線種別を特定するための物理回線種別情報を格納している。
【００７７】
＜処理動作＞
次に、図５を参照しながら、本実施例におけるデータ転送装置（１）の処理動作について説明する。
【００７８】
まず、ＣＰＵ（６）は、インタフェース回路（５−１〜ｎ）の物理回線種別情報を取得し（ステップＡ１）、その取得した物理回線種別情報を基に、インタフェース回路（５−１〜ｎ）の回線種別判別を行う（ステップＡ２）。
【００７９】
ＣＰＵ（６）は、物理回線種別情報が、Ether回線であると判別した場合には、ＣＰＵ（６）は、パケット／ＴＤＭ／ＡＴＭセレクタ回路（７）がパケットスイッチ（２）と接続するように、パケット／ＴＤＭ／ＡＴＭセレクタ回路（７）に選択設定を行う（ステップＡ３）。
【００８０】
これにより、パケット／ＴＤＭ／ＡＴＭセレクタ回路（７）は、インタフェース回路（５−１〜ｎ）から入力されたデータがパケットデータの場合には、パケットデータのままパケットスイッチ（２）に転送することになる（ステップＡ６）。
【００８１】
また、ＣＰＵ（６）は、物理回線種別情報が、ＡＴＭ回線であると判別した場合には、ＣＰＵ（６）は、パケット／ＴＤＭ／ＡＴＭセレクタ回路（７）がＡＴＭスイッチ（８）と接続するように、パケット／ＴＤＭ／ＡＴＭセレクタ回路（７）に選択設定を行う（ステップＡ４）。
【００８２】
これにより、パケット／ＴＤＭ／ＡＴＭセレクタ回路（７）は、インタフェース回路（５−１〜ｎ）から入力されたデータがＡＴＭデータの場合には、ＡＴＭデータのままＡＴＭスイッチ（８）に転送することになる（ステップＡ７）。
【００８３】
また、ＣＰＵ（６）は、物理回線種別情報が、ＴＤＭ回線であると判別した場合には、ＣＰＵ（６）は、パケット／ＴＤＭ／ＡＴＭセレクタ回路（７）がＴＤＭスイッチ（３）と接続するように、パケット／ＴＤＭ／ＡＴＭセレクタ回路（７）に選択設定を行う（ステップＡ５）。
【００８４】
これにより、パケット／ＴＤＭ／ＡＴＭセレクタ回路（７）は、インタフェース回路（５−１〜ｎ）から入力されたデータがＴＤＭデータの場合には、ＴＤＭデータのままＴＤＭスイッチ（３）に転送することになる（ステップＡ８）。
【００８５】
なお、上述した図５に示す処理は、物理回線単位に行うことになる。
【００８６】
このように、本実施例におけるデータ転送装置（１）は、パケットスイッチ（２）と、ＴＤＭスイッチ（３）と、ＡＴＭスイッチ（８）と、の各々異なるデータ転送処理を行う複数のスイッチ（２、３、８）を有して構成する。また、データ転送装置（１）は、物理回線を収容するインタフェース回路（５−１〜ｎ）と接続して構成する。
【００８７】
そして、本実施例におけるデータ転送装置（１）は、インタフェース回路（５−１〜ｎ）の物理回線種別に応じて、データ転送に使用するスイッチ（２、３、８）を切り替え、インタフェース回路（５−１〜ｎ）から入力されたデータを、そのまま、スイッチ（２、３、８、の何れか１つ）に転送し、そのスイッチ（２、３、８、の何れか１つ）から転送されたデータを、そのまま、インタフェース回路（５−１〜ｎ）に出力することになる。
【００８８】
なお、本実施例におけるデータ転送装置（１）は、上述した第１の実施例の機能に加え、物理回線種別がＡＴＭ回線である場合には、データ転送に使用するスイッチをＡＴＭスイッチ（８）に切り替え、インタフェース回路（５−１〜ｎ）から入力されたＡＴＭデータを、そのまま、ＡＴＭスイッチ（８）に転送し、そのＡＴＭスイッチ（８）から転送されたＡＴＭデータを、そのまま、インタフェース回路（５−１〜ｎ）に出力することになる。
【００８９】
これにより、本実施例におけるデータ転送装置（１）は、パケットトラフィックデータ、ＴＤＭトラフィックデータ、ＡＴＭトラフィックデータの効率的なデータ転送を行うことが可能となる。
【００９０】
なお、上述する実施例は、本発明の好適な実施例であり、上記実施例のみに本発明の範囲を限定するものではなく、本発明の要旨を逸脱しない範囲において当業者が上記実施例の修正や代用を行い、種々の変更を施した形態を構築することは可能である。
【００９１】
例えば、上述した実施例におけるインタフェース回路（５−１〜ｎ）として、カード（パッケージ）型のインタフェース回路を適用し、セレクタ回路（４、７）の切り替えを、カード（パッケージ）間で行うように構築することも可能である。
【００９２】
また、上述した実施例におけるデータ転送装置（１）やＣＰＵ（６）における制御動作は、ハードウェア、または、ソフトウェア、あるいは、両者の複合構成によって実行することも可能である。
【００９３】
なお、ソフトウェアによる処理を実行する場合には、処理シーケンスを記録したプログラムを、専用のハードウェアに組み込まれているコンピュータ内のメモリにインストールして実行させるか、あるいは、各種処理が実行可能な汎用コンピュータにプログラムをインストールして実行させることが可能である。
【００９４】
例えば、プログラムは、記録媒体としてのハードディスクやＲＯＭ（Read Only Memory）に予め記録しておくことが可能である。あるいは、プログラムは、フロッピー（登録商標）ディスク、ＣＤ−ＲＯＭ（Compact Disc Read Only Memory），ＭＯ（Magneto optical）ディスク，ＤＶＤ（Digital Versatile Disc)、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【００９５】
なお、プログラムは、上述したようなリムーバブル記録媒体からコンピュータにインストールする他、ダウンロードサイトから、コンピュータに無線転送したり、ＬＡＮ（Local Area Network）、インターネットといったネットワークを介して、コンピュータに有線で転送したりし、コンピュータでは、転送されてきたプログラムを受信し、内蔵するハードディスク等の記録媒体にインストールすることが可能である。
【００９６】
また、上記実施形態で説明した処理動作に従って、時系列的に実行されるのみならず、処理を実行する装置の処理能力、あるいは、必要に応じて並列的にあるいは個別に実行するように構築することも可能である。
【００９７】
また、上記実施例で説明したデータ転送装置（１）は、複数の装置の論理的集合構成にしたり、各構成の装置が同一筐体内に存在する構成にしたりするように構築することも可能である。
【産業上の利用可能性】
【００９８】
本発明にかかるデータ転送装置、データ転送方法及びデータ転送プログラムは、既存のネットワークを保存しながら異なるネットワークに統合化する際の用途に適用可能である。
【図面の簡単な説明】
【００９９】
【図１】本実施例のデータ転送装置（１）の構成を示す図である。
【図２】第１の実施例のデータ転送装置（１）の構成を示す図である。
【図３】第１の実施例のデータ転送装置（１）における一連の制御動作を示すフロチャートである。
【図４】第２の実施例のデータ転送装置（１）の構成を示す図である。
【図５】第３の実施例のデータ転送装置（１）における一連の制御動作を示すフロチャートである。
【符号の説明】
【０１００】
１    データ転送装置
２    パケットスイッチ
３    ＴＤＭスイッチ
４    パケット／ＴＤＭセレクタ回路
５−１〜ｎ    インタフェース回路
６    ＣＰＵ
７    パケット／ＴＤＭ／ＡＴＭセレクタ回路
８    ＡＴＭスイッチ
１００−１〜ｎ    スイッチ
２００−１〜ｎ    インタフェース
３００    制御部
４００    切替部
【図１】
2008306478.tif 000003
【図２】
2008306478.tif 000004
【図３】
2008306478.tif 000005
【図４】
2008306478.tif 000006
【図５】
2008306478.tif 000007